(57)【要約】【課題】自動売買を実施する上でシステム障害による不測の損失が発生するリスクを低減するための自動売買監視システムを提供する。【解決手段】パソコン１と仲介サーバ４の間の通信状態や仲介サーバ４と取引サーバ６の間の通信状態は携帯電話事業会社のマイページ７に記録され、利用者が携帯電話２から自分のマイページ７をアクセスすることで、パソコン１と仲介サーバ４あるいは仲介サーバ４と取引サーバ６の通信状態を確認できる。また、通信に異常が認められた場合、あるいは注文の約定に値幅制限、証拠金・預かり金不足などにより何らかのエラーが生じた場合、プロバイダのメールボックス８に通知メールが出力され、利用者が指定した携帯電話２のメールアドレスへ通知メールが転送される。【選択図】図２
2011118616.tif 000002
【特許請求の範囲】
【請求項１】
金融商品の自動売買を行う利用者のパソコンと、
市場への売買注文を仲介するサーバがインターネットを介して通信し、
前記パソコン及びサーバの少なくともいずれかの自動売買の状態を利用者の携帯電話に表示する表示手段を備えることを特徴とする自動売買監視システム。
【請求項２】
金融商品の自動売買を行う利用者のパソコンと、
市場への売買注文を仲介するサーバがインターネットを介して通信し、
前記パソコン及びサーバの少なくともいずれかの自動売買の状態を利用者の携帯電話に表示する表示手段と、
エラー発生時は利用者の携帯電話に通知メールを転送する転送手段と、
を備えるたことを特徴とする自動売買監視システム。
【請求項３】
前記パソコンとサーバの通信状態は金融商品を同時に並行運用する場合、
金融商品別に表示されることを特徴とする請求項１又は２記載の自動売買監視システム。
【請求項４】
前記通信状態の表示手段と通知メールの転送手段に加え、
前記自動売買を中止して個別にポジションの決済注文を利用者の携帯電話から発注する発注手段を備えたことを特徴とする請求項１又は２記載の自動売買監視システム。
【発明の詳細な説明】
【技術分野】
【０００１】
本発明は、外国為替、株式などの金融商品や、先物取引などの金融派生商品の自動売買を行う利用者のパソコンに起動されたアプリケーションと、市場への売買注文を仲介するサーバがインターネットを介して行う通信の状態を外部の携帯電話などで監視できるようにした自動売買監視システムに関する。
【背景技術】
【０００２】
自動売買は、あらかじめ設定したトレードルールに従ってコンピュータが指定銘柄を監視し、価格などの条件が折り合ったところで自動的に売買注文を出す。そのためリアルタイムで市場に参加したり、自宅のパソコンに常駐したりする必要がなく、市場が開いている時間帯は仕事をしていて注文を出すことができない人でもトレーディングに参加できるメリットがある（例えば特許文献１）。
また、機械的に売買注文を出すことで、例えばもう少し待てばもっと儲かると思い手遅れになるなど投資家の心理的要因による判断ミスを防ぐ効果がある。
【０００３】
しかし、利用者は、自動売買の状況の確認や中止を所定のソフトウエアが入ったパソコンでしか行うことができなかった。
また、自動売買を実施する上ではシステム環境の安定性が重要で、環境が不安定になると売買に支障をきたし、適正な売買タイミングを逸して思わぬ損失をこうむる可能性がある。
システム環境の不安定要因にはさまざまなものがあり、コンピュータのハードウエア・ソフトウエア障害や停電などによるシステム停止、インターネット回線の障害による接続停止などがある。
【先行技術文献】
【特許文献】
【０００４】
【特許文献１】特開２００９−３１８２６号公報
【発明の概要】
【発明が解決しようとする課題】
【０００５】
解決しようとする問題点は以上のような点であり、本発明は、携帯電話で自動売買の状況の確認や中止を可能にすると共に、
自動売買を実施する上でシステム障害による不測の損失が発生するリスクを低減するための自動売買監視システムを提供することを目的になされたものである。
【課題を解決するための手段】
【０００６】
そのため本発明は、金融商品の自動売買を行う利用者のパソコンと、市場への売買注文を仲介するサーバがインターネットを介して通信し、前記パソコンとサーバの通信状態を利用者の携帯電話に表示する表示手段とを備えたことを最も主要な特徴とする。
【発明の効果】
【０００７】
本発明は、パソコンとサーバの通信状態を利用者の携帯電話に表示する。従って、外部から自宅などのパソコンの稼動状況を確認できるため、自宅のパソコンに常駐しなくても通信障害など不測の事態に素早く対応して思わぬ損失を防げるようになる。
【図面の簡単な説明】
【０００８】
【図１】本発明を実施した自動売買監視システムの構成図である。
【図２】本発明を実施した自動売買監視システムの機能ブロック図である。
【図３】通信状態確認の画面表示例である。
【図４】ポジション決済注文の画面表示例である。
【発明を実施するための形態】
【０００９】
以下、本発明の実施の形態について説明する。
【００１０】
図１に、本発明を実施した自動売買監視システムの構成図を示す。
自動売買監視システムは、利用者のパソコン１と携帯電話２をインターネット３に接続し、インターネット３を介して利用者のパソコン１をＦＸ業者や証券会社の仲介サーバ４に接続する。仲介サーバ４はＶＰＮなどの専用ネットワーク５やインターネットを介して外国為替市場や証券取引所の取引サーバ６に接続する。
【００１１】
図２に、本発明を実施した自動売買監視システムの機能ブロック図を示す。
図２において、自動売買処理プログラムがインストールされた利用者のパソコン１とホームトレード処理プログラムがインストールされた仲介サーバ４の間でインターネット３を介して通信を行い、パソコン１側から仲介サーバ４側へあらかじめ設定したトレードルールに従って指定した通貨ペアや銘柄の売り買いの注文情報を送信し、約定が成立した場合は仲介サーバ４側からパソコン１側へ約定情報を送信する。
【００１２】
パソコン１と仲介サーバ４の間の通信状態や仲介サーバ４と取引サーバ６の間の通信状態は携帯電話事業会社のマイページ７に記録され、利用者が携帯電話２から自分のマイページ７をアクセスすることで、パソコン１と仲介サーバ４あるいは仲介サーバ４と取引サーバ６の通信状態を確認できる。
また、通信に異常が認められた場合、あるいは注文の約定に値幅制限、証拠金・預かり金不足などにより何らかのエラーが生じた場合、プロバイダのメールボックス８に通知メールが出力され、利用者が指定した携帯電話２のメールアドレスへ通知メールが転送される。
【００１３】
通信状態の確認は、以下の手順で行う。すなわち、図３に示すように、最初に利用者が携帯電話２から自分のマイページ７をアクセスすると、ログイン画面が表示される（１０１）。ここで利用者のＩＤとパスワードを入力すると、次にディスクレーマ（免責条項）画面が表示される（１０２）。ここで同意ボタンを選択すると、次に稼動状況確認画面が表示される（１０３）。これによりパソコン１と仲介サーバ４、あるいは仲介サーバ４と取引サーバ６の通信状態を確認できる。なお、複数の金融商品や通貨ペアを同時に並行運用している場合、稼動状況確認画面にはどの金融商品やどの通貨ペアに異常が生じたかを識別できるように取引アイテム別にエラー表示する機能が具備されている。
【００１４】
通信に異常が生じた場合、以下の手順でポジションの決済注文を行うことで、利用者は自動売買を中止することができる。すなわち、図４に示すように、最初にログイン画面が表示される（２０１）。ここで利用者のＩＤとパスワードを入力すると、次にディスクレーマ画面が表示される（２０２）。ここで同意ボタンを選択すると、次にポジション状況画面が表示される（２０３）。これにより利用者は現時点で損益が確定していない買い注文や売り注文を確認できる。ここで特定のポジションを選択すると、次に決済注文画面が表示される（２０４）。ここで注文内容を確認して決済実行ボタンを選択すると、指定したポジションの決済注文が発注される。
【符号の説明】
【００１５】
１        パソコン
２        携帯電話
３        インターネット
４        仲介サーバ
５        専用ネットワーク
６        取引サーバ
７        マイページ
８        メールボックス
【図１】
2011118616.tif 000003
【図２】
2011118616.tif 000004
【図３】
2011118616.tif 000005
【図４】
2011118616.tif 000006